(57)【要約】      （修正有）【課題】ヒーターによって加熱しても使用時の安全性が高いマットを提供する。【解決手段】マットは、マット本体１２とヒーターコントローラ１４とを備える。マット本体１２は、形状を保持する立体網状構造体３６で形成されるクッション層３４と、立体網状構造体３６内に配設されるヒーター３８と、クッション層３４を覆うカバー３０と、を有する。ヒーターコントローラ１４は、ヒーター３８へ供給する電力を制御する。このような構成により、使用者がマット本体１２の表裏を逆にして使用したとしても、ヒーター３８が使用者の身体から常に離間した状態となる。また、立体網状構造体３６は、潰れにくいため、使用者がマット本体１２を長期間使用したとしても、ヒーター３８が使用者の身体から離間した状態が保たれるので、使用者に低温やけどを生じさせることを防止できる。【選択図】図２
0003212057.tif 000002
【実用新案登録請求の範囲】
【請求項１】
形状を保持する立体網状構造体で形成されるクッション層と、
前記立体網状構造体内に配設されるヒーターと、
前記クッション層を覆うカバーと、
前記ヒーターへ供給する電力を制御する制御部と、
を備えるマット。
【請求項２】
前記クッション層の全体を覆って密閉し、前記クッション層と共に前記カバー内に収容される密閉部
を備える請求項１記載のマット。
【請求項３】
前記立体網状構造体は、厚さ方向に対して前記ヒーターを配設するための切り込みが形成される請求項１又は請求項２の何れか１項記載のマット。
【請求項４】
前記立体網状構造体の厚さは、少なくとも二つ折りが可能な厚さとされる請求項１から請求項３の何れか１項記載のマット。
【請求項５】
前記ヒーターは、本マットを使用する前に電力が供給されて温度が上昇し、使用する場合に供給される電力が低下される
請求項１から請求項４の何れか１項記載のマット。
【考案の詳細な説明】
【技術分野】
【０００１】
本考案は、マットに関するものである。
【背景技術】
【０００２】
従来から、例えば寝具として用いるマットが開発されている。このようなマットは、一例として、布団の上に敷かれて使用者が横たわることで使用される。
【０００３】
また、空調機能を有するマットも開発されている。例えば、特許文献１には、金属抵抗体からなるヒーター線が蛇行して敷設される空調マットが開示されている。この空調マットに敷設されるヒーター線は、その温度や、加熱時間等が、空調マットの長さ方向の一端側に固着されるコントローラによって制御される。
【０００４】
特許文献１に開示されている空調マットのヒーター線は、空調マットの大きさに形成されたスペーサ体の下側に敷設されるので、人がスペーサ体の上で横たわることによって、ヒーター線の熱が身体に直接伝達されないため低温やけどが防止される。
【先行技術文献】
【特許文献】
【０００５】
【特許文献１】特開２０１０−２４０２５８号公報
【考案の概要】
【考案が解決しようとする課題】
【０００６】
しかしながら、特許文献１に開示されている空調マットのヒーター線はスペーサ体の下側に敷設されているため、空調マットの表裏を変えて使用された場合、ヒーター線の熱が使用者の身体に直接伝達される。すなわち、特許文献１に開示されている空調マットの表裏を変えて使用した場合、空調マットは低温やけどを生じさせる可能性がある。
【０００７】
本考案は、このような事情に鑑みてなされたものであって、ヒーターによって加熱しても使用時の安全性が高いマットを提供することを目的とする。
【課題を解決するための手段】
【０００８】
上記課題を解決するために、本考案のマットは以下の手段を採用する。
【０００９】
本考案の一態様に係るマットは、形状を保持する立体網状構造体で形成されるクッション層と、前記立体網状構造体内に配設されるヒーターと、前記クッション層を覆うカバーと、前記ヒーターへ供給する電力を制御する制御部と、を備える。
【００１０】
上記「マット」には、以下に例示するように、種々の技術的限定を加えてもよい。
【００１１】
前記クッション層の全体を覆って密閉し、前記クッション層と共に前記カバー内に収容される密閉部を備える。
【００１２】
前記立体網状構造体は、厚さ方向に対して前記ヒーターを配設するための切り込みが形成される。
【００１３】
前記立体網状構造体の厚さは、少なくとも二つ折りが可能な厚さとされる。
【００１４】
前記ヒーターは、本マットを使用する前に電力が供給されて温度が上昇し、使用する場合に供給される電力が低下される。
【考案の効果】
【００１５】
本考案によれば、ヒーターによって加熱しても使用時の安全性が高い、という効果を有する。
【図面の簡単な説明】
【００１６】
【図１】本考案の実施形態に係るマットの概略外観図である。
【図２】本考案の実施形態に係るマットのｘｙ平面方向における断面を示す模式図である。
【図３】本考案の実施形態に係るマットのｘｚ平面方向における断面を示す模式図である。
【図４】本考案の実施形態に係る立体網状構造体を示す図である。
【図５】本考案の実施形態に係るマットの操作例を示すフローチャートである。
【考案を実施するための形態】
【００１７】
以下に、本考案に係るマットの一実施形態について、図面を参照して説明する。
【００１８】
〔１．本実施形態に係るマットの構成〕
図１は、本実施形態に係るマット１０の概略外観図である。本実施形態に係るマット１０は、マット本体１２とヒーターコントローラ１４を備える。
【００１９】
〔１−１．マット本体の構成〕
マット本体１２は、一例として、布団２０の上であって枕２２が配置される位置よりもの下方に敷かれる。そして、利用者は、就寝するときに、例えばシーツの下にマット本体１２を敷き、シーツを介してマット本体１２の上に横たわる。なお、マット本体１２は、その内部にヒーター３８（図２参照）を備え、ヒーター３８によって内部から加熱が可能とされている。
【００２０】
本実施形態に係るマット本体１２の平面形状は矩形（四角形）であり、その大きさは長辺（縦）が約１１０ｃｍ、短辺（横）が約７０ｃｍであるが、これは一例であり、大きさは限定されず、縦と横の長さが同じでもよい。
【００２１】
図２及び図３は、マット本体１２の断面を示す模式図である。なお、マット本体１２の短辺方向をｘ軸方向とし、長辺方向をｙ軸方向とし、厚さ方向をｚ軸方向とする。図２は、ｘｙ平面におけるマット本体１２の断面を示し、図３は、ｘｚ平面におけるマット本体１２の断面を示す。
【００２２】
マット本体１２は、外側から、カバー３０、密閉部３２、及びクッション層３４で構成される。
【００２３】
カバー３０は、密閉部３２及びクッション層３４を覆うものであり、マット１０の使用時に使用者の身体に触れる。なお、カバー３０の材質は特に限定されず、例えば、織物、編み物（メリヤス生地）、レース、フェルト、及び不織布等の布である。
【００２４】
密閉部３２は、クッション層３４の全体を覆って密閉し、クッション層３４と共にカバー３０内に収容される。すなわち、密閉部３２は、その内側の空気と外側の空気との流通を遮断するものである。
【００２５】
密閉部３２は、例えば、２〜３ｍｍ程度の２枚の板状部材で形成され、２枚の板状部材の間にクッション層３４を挟んだ後に各辺が接合されることによって、クッション層３４の全体を覆って密閉する。
【００２６】
なお、密閉部３２の材質は特に限定されず、空気の遮断機能とマット本体１２を折り畳むことができる程度の柔軟性を有していればよく、材質としては、例えば、ポリエチレンやポリプロピレン等のポリオレフィン、ポリエチレンテレフタレート等のポリエステル、ポリアミド、ポリ塩化ビニル、及びポリスチレン等が挙げられる。また、密閉部３２は、使用者がマット本体１２に横たわった際における緩衝機能を有してもよい。
【００２７】
クッション層３４は、カバー３０及び密閉部３２内に収容され、形状を保持する立体網状構造体３６で形成される。
【００２８】
立体網状構造体３６は、例えば、図４に示されるように、熱可塑性樹脂が押出成形によって線状体４０（線条）に形成されて、さらに線状体４０がループ状に無秩序に絡まり部分的に熱溶着又は熱接着された矩形状の構造体である。このように、立体網状構造体３６は、線状体４０がループ状に無秩序に絡まり合うため、クッション性を有する。なお、立体網状構造体３６は、詳細を後述するように、空隙を有し、圧縮耐久性に優れる等の特徴を有していれば、線状体４０の径や長さ及び密度等は限定されず、また、押出成形以外の他の製法により製造されてもよい。
【００２９】
立体網状構造体３６として用いられる熱可塑性樹脂は、特に限定されないが、例えば、ポリエチレンやポリプロピレン等のポリオレフィン、ポリエチレンテレフタレート等のポリエステル、ポリアミド、ポリ塩化ビニル、及びポリスチレン等が挙げられる。
【００３０】
本実施形態に係る立体網状構造体３６の厚さ（ｚ軸方向）は、例えば、１ｃｍであり、少なくとも二つ折りが可能な厚さとされる。これにより、マット本体１２を取り除くことなく、布団２０をマット本体１２と共に畳むことが可能となる。
【００３１】
ヒーター３８は、立体網状構造体３６内に配設される。例えば、図３に示されるように、ヒーター３８は、立体網状構造体３６の厚さに対して略中央部分（表面から深さＡの位置）に配設される。ヒーター３８は、一例として、線状に形成されており、立体網状構造体３６のｘｙ平面においてマット本体１２全体を均一に温めることが可能なように、２次元状（平面状）に配設される。
【００３２】
本実施形態に係る立体網状構造体３６は、内部にヒーター３８を配設するために、厚さ方向に対してヒーター３８の配設位置に沿って切り込みが形成される。この切り込みの深さＡは、立体網状構造体３６の厚さのほぼ半分とされる。そして、ヒーター３８は、立体網状構造体３６に形成された切り込みに沿って埋め込まれることで、立体網状構造体３６内に配設される。
【００３３】
〔１−２．ヒーターコントローラの構成〕
ヒーターコントローラ１４は、ヒーター３８と電源（例えば室内コンセント）とを接続することでヒーター３８へ供給する電力を制御する。より具体的には、ヒーターコントローラ１４は、ヒーター３８のオン又はオフの切り替え及び温度設定等を行う。
【００３４】
ヒーターコントローラ１４は、ヒーター３８のオン又はオフの切り替え及び温度設定を行うために、例えばダイヤル式のスイッチ１４Ａを備える。使用者は、オフの状態となっているスイッチ１４Ａを回転させることによってヒーター３８をオフからオンに切り替え、さらに回転させることによってマット本体１２の設定温度を上昇させる。マット本体１２の温度を測定する熱電対等の温度測定手段は、例えば、カバー３０と密閉部３２との間に設けられてもよいし、ヒーター３８に接触するように配置されてヒーター３８の温度を直接測定してもよい。
【００３５】
また、ヒーターコントローラ１４は、例えば、オンとされたヒーター３８を設定時間後にオフとするためのタイマー機能を備えてもよい。
【００３６】
ヒーターコントローラ１４は、マット本体１２に対して、コネクタ１８を介して接続され、コネクタ１８から脱着可能とされている。これにより、マット本体１２を洗浄する場合や、マット１０を仕舞う場合に、ヒーターコントローラ１４をマット本体１２から分離させることが可能となる。ヒーターコントローラ１４とコネクタ１８とは、ケーブル１４Ｂによって電気的に接続されているが、これに限らず、ヒーターコントローラ１４とコネクタ１８とは直接接続されてもよい。
【００３７】
〔２．本実施形態に係るマットの作用と効果〕
上記のように、本実施形態に係るマット本体１２のクッション層３４は、立体網状構造体３６によって形成されている。立体網状構造体３６は、圧縮により線状体４０が折損しにくいため、圧縮耐久性に優れる。すなわち、マット本体１２のクッション層３４として立体網状構造体３６が用いられることによって、長期間において使用者が繰り返しマット本体１２を使用してもクッション層３４の形状が保持される。
【００３８】
そして、ヒーター３８は、立体網状構造体３６内に配設されるため、使用者がマット本体１２の表裏を逆にして使用したとしても、ヒーター３８が使用者の身体から常に離間した状態となる。また、立体網状構造体３６は、圧縮耐久性に優れ、潰れにくいため、使用者がマット本体１２を長期間使用したとしても、ヒーター３８が使用者の身体から離間した状態が保たれる。
【００３９】
このように、本実施形態に係るマット１０は、クッション層３４が立体網状構造体３６で形成され、かつヒーター３８が立体網状構造体３６内に配設されるため、マット本体１２が長期間繰り返し使用されても、使用者とヒーター３８が離間した状態を維持し続ける。従って、本実施形態に係るマット１０は、使用者がヒーター３８の熱によって低温やけどを生じることを防止できる。
【００４０】
また、立体網状構造体３６を用いない従来のクッション層３４では、長期間の使用によって繊維が潰れて薄くなる。このため、従来のクッション層３４にヒーター３８が配設されると、従来のクッション層３４が潰れた場合に使用者の身体とヒーター３８とが干渉して使用者が違和感を覚える可能性がある。しかしながら、本実施形態に係るクッション層３４は、圧縮耐久性に優れる立体網状構造体３６で形成されるので潰れ難いため、使用者の身体とヒーター３８とが干渉して使用者が違和感を覚えることを防止できる。
【００４１】
また、立体網状構造体３６は潰れにくいため、立体網状構造体３６内に配設されたヒーター３８に対して部分的な応力が加わりにくい。このため、本実施形態に係るマット本体１２は、ヒーター３８の位置がずれたり、ヒーター３８の配線が断線又はショートすることが防止される。
【００４２】
また、使用者が繰り返し長期間においてマット本体１２を使用しても立体網状構造体３６の形状が保持されるので、クッション層３４が潰れてマット本体１２に対する使用者の使用感が悪化することが防止される。
【００４３】
さらに、立体網状構造体３６は、線状体４０がループ状に絡まり合って形成されるため、全体に占める空隙の割合が大きい。このため、ヒーター３８は、主に空隙内の空気を温めることとなる。そして、クッション層３４は、密閉部３２によって密閉されているため、ヒーター３８によって温められた空気は外部へ放出されないので、マット本体１２の保温性が高くなる。
【００４４】
このように、本実施形態に係るマット本体１２は、クッション層３４を密閉することで保温性を高めているので、クッション層３４を密閉しない従来のマットに比べて消費電力を低減させることができる。
【００４５】
〔３．本実施形態に係るマットの動作例〕
図５は、本実施形態に係るマット１０の操作例を示すフローチャートである。なお、図５に示すフローチャートは、使用者がマット１０を使用する前に行う操作例である。
【００４６】
まず、ステップ１００では、使用者がヒーターコントローラ１４を操作することによってヒーター３８をオンにする。このとき、マット本体１２の温度やヒーター３８の停止時間も設定する。なお、停止時間は、使用者がマット本体１２の使用を開始する時刻（例えば就寝時刻）に合わせて設定される。
【００４７】
次のステップ１０２では、マット本体１２の温度が設定温度に達したか否かをヒーターコントローラ１４が判定し、肯定判定の場合はステップ１０４へ移行する。一方、否定判定の場合、ヒーターコントローラ１４はヒーター３８の温度を上昇させる。
【００４８】
ステップ１０４では、マット本体１２の温度を設定温度に維持するように、ヒーターコントローラ１４がヒーター３８の温度を制御する。
【００４９】
次のステップ１０６では、設定された停止時間に達したか否かをヒーターコントローラ１４が判定し、肯定判定の場合はステップ１０８へ移行する。一方、否定判定の場合は、停止時間に到達するまで設定温度が維持される。
【００５０】
ステップ１０８では、ヒーターコントローラ１４がヒーター３８をオフとし、本処理を終了する。そして、使用者は、マット本体１２に横たわって就寝する。
【００５１】
このように、本実施形態に係るマット１０は、一例として、使用者の就寝時に用いられるが、ヒーター３８はマット１０の使用前（就寝前）に電力が供給されて温度が上昇し、使用時（就寝時）に供給される電力が低下される。この理由は、本実施形態に係るマット本体１２は、クッション層３４の全体を覆って密閉する密閉部３２を備えるので、温められたクッション層３４内の空気が外部へ流通せず、温度保持に優れているためである。
【００５２】
また、クッション層３４が密閉部３２によって密閉されることによって、加熱された空気がクッション層３４内を循環することになるので、熱がクッション層３４内で均一に拡がる。このため、例えば、マット本体１２がヒーター３８近傍でのみ局所的に温まるということがなく、本実施形態に係るマット１０の使用感が向上する。
【００５３】
なお、図５における操作例において、マット１０にタイマー機能が備わっていない場合は、使用者が自身で就寝直前にヒーター３８をオフとする。また、マット本体１２の温度をより確実に保持するために、ステップ１０８においてヒーター３８をオフとする替わりに、ヒーター３８はオンとするもののヒーター３８への供給電力を下げ、すなわちヒーター３８の温度を低下させて維持してもよい。
【００５４】
このように、本実施形態に係るマット１０は、使用者が就寝時等における長時間の使用時にはヒーター３８をオフ又は温度を低下させるので、使用者が低温やけどを生じる可能性をより確実に防止できる。また、本実施形態に係るマット１０は、使用時にはヒーター３８をオフ又はヒーター３８への供給電力を低下させるので、従来に比べて電力消費量が少なくなる。
【００５５】
以上説明したように、本実施形態に係るマット１０は、形状を保持する立体網状構造体３６で形成されるクッション層３４と、立体網状構造体３６内に配設されるヒーター３８と、クッション層３４を覆うカバー３０と、ヒーター３８へ供給する電力を制御するヒーターコントローラ１４と、を備える。
【００５６】
このような構成により、使用者がマット本体１２の表裏を逆にして使用したとしても、ヒーター３８が使用者の身体から常に離間した状態となる。また、立体網状構造体３６は、潰れにくいため、使用者がマット本体１２を長期間使用したとしても、ヒーター３８が使用者の身体から離間した状態が保たれるので、使用者に低温やけどを生じさせることを防止できる。
【００５７】
従って、本実施形態に係るマット１０は、マット本体１２をヒーター３８によって加熱しても使用時の安全性が従来に比べて高くなる。
【００５８】
〔４．他の実施形態〕
以上、本考案を、上記実施形態を用いて説明したが、本考案の技術的範囲は上記実施形態に記載の範囲には限定されない。考案の要旨を逸脱しない範囲で上記実施形態に多様な変更又は改良を加えることができ、該変更又は改良を加えた形態も本考案の技術的範囲に含まれる。
【００５９】
例えば、上記実施形態では、ヒーター３８を立体網状構造体３６内に配設するために、立体網状構造体３６に切り込みを形成する形態について説明したが、本考案は、これに限定されるものではない。例えば、立体網状構造体３６を押出成形によって形成する段階で、ヒーター３８が立体網状構造体３６内に配設されてもよい。
【００６０】
また、上記実施形態では、マット本体１２を布団２０に敷くものとする形態について説明したが、本考案は、これに限定されるものではない。例えば、マット本体１２が座布団やクッションと同様に使用されてもよい。
【００６１】
また、上記実施形態では、マット本体１２の平面形状を矩形状とする形態について説明したが、本考案は、これに限定されるものではない。例えば、マット本体１２の平面形状を円形や三角形等、他の形状としてもよい。
【符号の説明】
【００６２】
１０  マット
１４  ヒーターコントローラ（制御部）
３０  カバー
３２  密閉部
３４  クッション層
３６  立体網状構造体
３８  ヒーター
【図１】
0003212057.tif 000003
【図２】
0003212057.tif 000004
【図３】
0003212057.tif 000005
【図４】
0003212057.tif 000006
【図５】
0003212057.tif 000007